(57)【特許請求の範囲】
【請求項１】
雌端子金具が収容された端子収容部と、前記端子収容部を包囲する外筒部とが形成された雌コネクタへ嵌合される基板用防水コネクタであって、
一方向へ開口する筒状に形成されて前記雌コネクタにおける前記端子収容部と前記外筒部との間の空間にシール状態で嵌合可能な内部フードと、前記内部フードを包囲しつつ前記内部フードと同方向に開口する筒状に形成され、前記内部フードとの間に前記雌コネクタの前記外筒部を嵌合可能でかつプリント基板に取り付け可能な外部フード部とが形成された雄コネクタハウジングと、
一端側は前記内部フード内に設けられ、他端側は前記プリント基板上に形成された回路に接続される雄端子金具と、
を備え、
前記外部フードには金属製のペグが取り付けられ、
前記ペグは、前記プリント基板に対し半田付けによって固定され、前記外部フードに、前記雌コネクタと嵌合する方向に関して、前記雌コネクタと嵌合する範囲に重複するように配置されている基板用防水コネクタ。
【請求項２】
前記雄端子金具が装着された前記雄コネクタハウジングは前記プリント基板と共に、内部が防水空間とされたケース部材に収容され、前記外部フードの開口縁部には前記ケース部材に開設された窓部に対しシール状態で取り付けられる装着用の張り出し壁が張り出し形成されている請求項１記載の基板用防水コネクタ。
【請求項３】
雌端子金具が収容された端子収容部と、前記端子収容部を包囲する外筒部とが形成された雌コネクタへ嵌合される基板用防水コネクタであって、
一方向へ開口する筒状に形成されて前記雌コネクタにおける前記端子収容部と前記外筒部との間の空間にシール状態で嵌合可能な内部フードと、前記内部フードを包囲しつつ前記内部フードと同方向に開口する筒状に形成され、前記内部フードとの間に前記雌コネクタの前記外筒部を嵌合可能でかつプリント基板に取り付け可能な外部フード部とが形成された雄コネクタハウジングと、
一端側は前記内部フード内に設けられ、他端側は前記プリント基板上に形成された回路に接続される雄端子金具と、
を備え、
前記雄コネクタハウジングには前記雄端子金具を保持する端子保持部が形成され、かつ前記外部フードは前記端子保持部に対し高さ方向である前記プリント基板側へ段差をつけた状態で形成される一方、前記プリント基板には前記外部フードとの干渉を回避する逃がし部が切り欠き形成されている基板付きコネクタ。
【発明の詳細な説明】
【技術分野】
【０００１】
本発明は基板用防水コネクタに関するものである。
【背景技術】
【０００２】
下記特許文献１には、防水コネクタをプリント基板上に装着し、これらをシール状態にしたケース内に収容させた構成が開示されている。この防水コネクタは端子金具を保持する端子保持部と、この端子保持部から前方へ筒状に突出するフード部とからなっている。防水コネクタは、端子保持部によって基板の端縁部近くに取り付けられている。この取り付け状態では、フード部は基板から外方へ突出した状態となっている。防水コネクタの場合、相手コネクタがフード部の外側に嵌合する関係となるため、ケースに収容されているときにもフード部はケースの外方へ大きく突き出した状態となってしまうことが通常である。
【先行技術文献】
【特許文献】
【０００３】
【特許文献１】特開２００２−２３１４０５号公報（図１）
【発明の概要】
【発明が解決しようとする課題】
【０００４】
しかし、フード部が基板の外へ大きく突き出す構造であると、フード部に外力が作用し易い。特に、ケースへ収納する前の単体状態のときに外力が作用すると、基板との固定部位あるいは端子金具がプリント基板に半田付けされている部位等へ悪影響が及ぶことが懸念される。
【０００５】
本発明は上記のような事情に基づいて完成されたものであって、その目的は、プリント基板からの突出量を極力抑制することができる基板用防水コネクタを提供することである。
【課題を解決するための手段】
【０００６】
本発明の基板用防水コネクタは、雌端子金具が収容された端子収容部と、前記端子収容部を包囲する外筒部とが形成された雌コネクタへ嵌合される基板用防水コネクタであって、一方向へ開口する筒状に形成されて前記雌コネクタにおける前記端子収容部と前記外筒部との間の空間にシール状態で嵌合可能な内部フードと、前記内部フードを包囲しつつ前記内部フードと同方向に開口する筒状に形成され、前記内部フードとの間に前記雌コネクタの前記外筒部を嵌合可能でかつプリント基板に取り付け可能な外部フード部とが形成された雄コネクタハウジングと、一端側は前記内部フード内に設けられ、他端側は前記プリント基板上に形成された回路に接続される雄端子金具と、を備えることを特徴とする。
【発明の効果】
【０００７】
本発明の基板用防水コネクタは、外部フードを形成することで、外部フードの内側へ雌コネクタを嵌合させることができるようにしている。したがって、雄コネクタハウジングのうち雌コネクタとの嵌合に係る部分も基板の形成領域内に配置することができるから、基板用防水コネクタをプリント基板の端縁から極力突出させなくて済む。
【図面の簡単な説明】
【０００８】
【図１】雌雄のコネクタとプリント基板とを示す斜視図
【図２】雄コネクタの正面図
【図３】図２のＡ−Ａ線断面図
【図４】図２のＢ−Ｂ線断面図
【図５】雌コネクタの正面図
【図６】図５のＣ−Ｃ線断面図
【図７】雌雄コネクタの嵌合状態を示す側断面図
【発明を実施するための形態】
【０００９】
本発明における好ましい実施の形態を説明する。
（１）本発明の基板用防水コネクタは、前記雄端子金具が装着された前記雄コネクタハウジングは前記プリント基板と共に、内部が防水空間とされたケース部材に収容されるとともに、前記外部フードの開口縁部には前記ケース部材に開設された窓部に対しシール状態で取り付けられる装着用の張り出し壁が張り出し形成される構成とすることが好ましい。
このような構成によれば、外部フードの開口縁に形成されたフランジ縁によってケース部材への取付けを行うようにしている。したがって、基板用防水コネクタをケース部材内に収容した場合には、ケース部材からの突出も抑制することができる。
（２）また、前記雄コネクタハウジングには前記雄端子金具を保持する端子保持部が形成され、かつ前記外部フードは前記端子保持部に対し高さ方向である前記プリント基板側へ段差をつけた状態で形成される一方、前記プリント基板には前記外部フードとの干渉を回避する逃がし部が切り欠き形成される構成としてもよい。
このような構成によれば、雄コネクタをプリント基板に対して装着したときに、逃がし部内に雄コネクタハウジングの下部側を落し込ませることができるため、プリント基板に対する雄コネクタの装着高さを低背化することができる。このことにより、雄コネクタがプリント基板と共にケース部材内に収容されたときに、ケース部材の内部高さを低くしてケース部材の小型化に寄与することができる。
【００１０】
＜実施例＞
次に、本発明の基板用防水コネクタを具体化した実施例について、図面を参照しつつ説明する。
本実施例の基板用防水コネクタは、プリント基板Ｐに装着された雄コネクタＭである。本実施例における雄コネクタＭは、図３に示すように、プリント基板Ｐと共に、内部が防水空間とされたケース１内に収容されている。
【００１１】
（雌コネクタＦ）
まず、雄コネクタＭの嵌合相手となる雌コネクタＦを、図５及び図６に基づいて説明する。雌コネクタＦは合成樹脂製の雌コネクタハウジング２を有している。雌コネクタハウジング２は、雌端子金具３を収容する端子収容部４とこの端子収容部４との間に差し込み空間５を保有しつつ端子収容部４を包囲する外筒部６とを備えており、端子収容部４は後部にシール筒部７が連続している。
【００１２】
図６に示すように、端子収容部４の奥部の外周面にはシールリング８が嵌着されている。シールリング８は雌雄のコネクタＦ，Ｍが嵌合したときに、雌雄コネクタＦ，Ｍ間のシールを行う。端子収容部４の内部には端子収容室９が形成されている。端子収容室９の後部はシール筒部７内に連通している。端子収容室９は１本のシールド電線ＳＷの端部に接続された、後述する雌端子モジュールＦＭを収容可能である。また、端子収容室９の内部には雌端子金具３の外導体１８を抜け止めするためのランス１０が撓み可能に形成されている。
【００１３】
本実施例におけるシールド電線ＳＷは、２本の電線（図６、図７では片方の電線のみが示されている。）を編組線１１及びシース１２によって一括して被った形態である。各電線Ｗの端末部には芯線１３が露出し、露出した芯線１３の後側には芯線１３を被覆する内被１４が露出している。この内被１４の露出部分では、両電線の内被１４を一括して包囲している前記編組線１１が、シース１２の外面上へ折り返されている。
【００１４】
雌端子金具３は導電性の薄板金属材を所定形状に曲げ加工することによって形成され、各電線Ｗにそれぞれ接続されている。雌端子金具３は雄端子金具１５と接続可能な角筒部１６を有しており、角筒部１６の後部は両電線の芯線１３にそれぞれ接続されている。両雌端子金具３は絶縁材（合成樹脂材）よりなる誘電体１７の内部に一括して収容されている。詳細には図示しないが、誘電体１７は前壁を除いて上下に二分割されている。雌端子金具３は半割状態の誘電体１７の一方に仮セットされ、他方の半割誘電体１７が合体されることによって抜け止め状態で収容される。誘電体の前壁には、雌端子金具と同軸で開口する挿通口５５が開口し、雄端子金具が進入可能である。誘電体１７はさらに外導体１８の内部に収容されている。
【００１５】
外導体１８は導電性の薄板金属材を所定形状に曲げ加工して形成されている。外導体１８もまた上下に二分割されていて、誘電体１７と雌端子金具３との関係と同様、雌端子金具３を収容し合体状態にある誘電体１７は、半割状態にある一方の外導体１８に仮セットされた後、上下の外導体１８同士が合体されることによって抜け止め状態で内部に収容される。かくして、雌端子金具３は誘電体１７、外導体１８と一体化されて雌端子モジュールＦＭを構成する。
【００１６】
外導体１８の前部は略角筒状に形成された収容筒部１９を有し、その外面には係止突部２０が突出形成され、ランス１０と係止可能である。収容筒部１９の後部には編組線１１の折り返し部分に圧着可能なバレル部２１が連続している。雌端子モジュールＦＭが端子収容室９内に収容されたときに、編組線１１に対するバレル部２１はシール筒部７内に位置している。
【００１７】
図６に示すように、シールド電線ＳＷにおいてバレル部２１の後部にはゴム栓２２が嵌着されている。ゴム栓２２はシール筒部７の後端の開口部に対し水密状態で嵌め込まれている。また、シール筒部７の後端にはゴム栓ホルダ２３が装着されて、ゴム栓２２の抜け止めを行っている。
【００１８】
図１、図５に示すように、外筒部６は前方へ開口する略角筒状に形成されている。外筒部６の上面は前端部を除きそのほぼ全面が開放して形成され、前端部は外筒部６の幅方向の両側の壁部の上縁同士をブリッジ片２４を介して連結した構成となっている。
【００１９】
外筒部６において、両側の壁部間には、雄コネクタＭとの嵌合状態を保持するためのロックアーム２５が配されている。ロックアーム２５は前後方向に沿って配され、両側の壁部の上縁とほぼ面一である。図６に示すように、ロックアーム２５は、長さ方向の中央部にシール筒部７の上面から起立する、左右で対をなす支点部２６を有しており、両支点部２６を中心にしてシーソ状に揺動変位することができる。ロックアーム２５は後端部がロック解除のための解除操作部２７となっており、前端部にはロック孔２８が開口している。
【００２０】
図５に示すように、雌コネクタハウジング２の外筒部６における上部であって幅方向両側部には一対のガイド溝部２９が形成されている。両ガイド溝部２９は前後方向に沿って形成され、雌雄コネクタＦ，Ｍが正規の向きで嵌合した場合の嵌合動作を案内するとともに、上下反転した逆向き姿勢で嵌合されようとする場合に雄コネクタＭとの干渉によって逆嵌合を規制する役割りを果たす。
【００２１】
（雄コネクタＭ）
次に、図１乃至図４に基づいて雄コネクタＭを説明する。雄コネクタＭは合成樹脂製の雄コネクタハウジング３０を有している。図３に示すように、雄コネクタハウジング３０は、前方へ開口する内部フード３１と、この内部フード３１の後部側に連続し雄端子金具１５を保持する端子保持部３２と、内部フード３１を包囲する外部フード３３とを備えている。
【００２２】
端子保持部３２は内部フード３１の後面から後方へ突出して形成されている。内部フード３１の後面には装着窓３４が開口し、内部フード３１と端子保持部３２とを連通させている。
【００２３】
内部フード３１は前方へ開口する略角筒状をなして形成されており、雌コネクタＦの端子収容部４が嵌合可能である。図３に示すように、内部フード３１内の奥部は全周に亘って一段狭くなるように形成されて位置決め部３５が形成されている。逆に、位置決め部３５より手前側は内部フード３１内は広く形成され、雌雄コネクタＦ，Ｍの嵌合時には雌コネクタＦ側の端子収容部４の嵌合を円滑にし、位置決め部３５の前縁部に形成された誘導斜面３６によって位置決め部３５へと誘導され、その結果、雌コネクタＦの端子収容部４が位置決め部３５においてがたつきなく嵌合される。
【００２４】
図２に示すように、内部フード３１の上部の両側には幅方向外方へ向けて一対の張り出し片３７が張り出し形成されている。両張り出し片３７は内部フード３１の外面に前後方向に沿って形成され、雌雄コネクタＦ，Ｍが正規の向きで嵌合するときに雌コネクタＦ側のガイド溝部２９に適合し、同ガイド溝部２９に沿って嵌め入れ可能である。
【００２５】
内部フード３１の上面であって幅方向の中央部にはロック突起３８が突出形成されており、雌雄コネクタＦ，Ｍの嵌合時にはロックアーム２５のロック孔２８へ係止可能である。
【００２６】
外部フード３３は内部フード３１を包囲する略角筒状に形成され、前方へ向けて開口して形成されている。図３に示すように、内部フード３１の開口縁と外部フード３３の開口縁とはほぼ面一をなすように形成されている。外部フード３３と内部フード３１との間には、雌雄コネクタＦ，Ｍの嵌合時に雌コネクタＦの外筒部６が嵌め入れられる嵌合空間３９が保有されている。なお、図２等に示すように、外部フード３３の幅方向中央部が全長に亘って上方へ膨出して膨出部４０となっており、嵌合空間３９のうち上部側を拡張してロックアーム２５の撓みを許容するようにしている。
【００２７】
図１等に示すように、外部フード３３の前端部寄りには全周に沿って張り出し壁４１が張り出し形成されている。図３に示すように、張り出し壁４１の全縁はケース１の開口部の全周に沿って形成された取付け溝４２に対しシール部材４３を介して嵌め付け可能である。なお、ケース１は開口部を含んで上下に分割され、シール状態で合体される。
【００２８】
雄コネクタＭは、表面に回路が形成されたプリント基板Ｐ上に固定されている。図１に示すように、プリント基板Ｐにおける前端縁の中央部には逃がし部４４が方形状に切り欠き形成されている。図３に示すように、逃がし部４４は雄コネクタの外部フード３３の下部側を嵌め入れて落し込ませる。外部フード３３が逃がし部４４に落し込まれたときには、図４に示すように、プリント基板の前縁が後述する装着突部５１のうち前側に位置するものの前縁にほぼ揃うようになっている。
【００２９】
図３に示すように、端子保持部３２は内部フード３１の後面から後方に突出して形成されており、逃がし部４４の奥側においてプリント基板Ｐ上に載置されている。端子保持部３２には２本の雄端子金具１５を含む雄端子モジュールＭＭが装着されている。雄端子モジュールＭＭは、雄端子金具１５、誘電体４６及び外導体４５とから構成されている。
【００３０】
図３に示すように、雄端子金具１５は導電金属製の角線材によって形成されている。雄端子金具１５の前部側は水平に延出しており、内部フード３１内において外導体４５を介して前方へ向けて突出している。雄端子金具１５は内部フード３１を貫通して後方へ延びた後、プリント基板Ｐへ向けて略直角に屈曲し、下端部は後方へ向けてさらに略直角に屈曲し、図示しないプリント基板Ｐ上の回路（図示しない）に半田付けによって接続されている。
【００３１】
両雄端子金具１５において水平に延びている部分の途中は、共に絶縁材（合成樹脂材）よりなる誘電体４６を貫通している。誘電体４６は略ブロック状に形成され、両雄端子金具１５を幅方向へ並列させた状態で保持している。誘電体４６の下面にはストッパ片４７が下向きに突出して形成されている。
【００３２】
外導体４５は、内部に両雄端子金具１５と誘電体４６とを収容している。外導体４５は導電金属製の板材を曲げ加工して形成されている。外導体４５は略角筒状に形成された本体部４５Ａを有している。本体部４５Ａは装着窓３４を圧入状態で貫通し、内部フード３１内に水平に突出している。
【００３３】
図３に示すように、本体部４５Ａを構成する側面のうち下面を除く３面には弾性舌片４８がそれぞれ配されている。各弾性舌片４８は前端側が自由端となった片持ち状に形成されていて、自然状態では先端（自由端側）が本体部４５Ａの内側へ若干突出するようになっている。雌雄のコネクタＦ，Ｍが嵌合するときには、雌コネクタＦ側の外導体１８の外側に雄コネクタＭ側の外導体４５が嵌まり込んで、雌雄の端子金具３，１５同士が接続するとともに、各弾性舌片４８の先端が雌コネクタＦ側の外導体１８の外面にそれぞれ弾性的に接触する。
【００３４】
外導体４５において、本体部４５Ａの後部には下向きかつ略直角に屈曲して支持部４５Ｂが連続して形成されている。支持部４５Ｂは後方へ向けて開口する水平断面略Ｃ字状に形成され、内部は本体部４５Ａと連通している。図３に示すように、誘電体４６はストッパ片４７を支持部４５Ｂ内の前壁に係止させて前止まりされた状態で取り付けられている。
【００３５】
図４に示すように、支持部４５Ｂの後部でかつ幅方向両側の下端部からは後方へ向けて一対のリード片４９が延出している。両リード片４９は雄端子金具１５の後端部を外側から挟むようにしてかつ全体が並列して配置される。両リード片４９は、プリント基板Ｐの回路（アース回路）に半田付けによって接続される。
【００３６】
図４に示すように、外部フード３３の幅方向両側面の後端からは後方へ向けて一対の延長壁５０が面一状態で延設されている。両延長壁５０は端子保持部３２に対し幅方向に所定の間隔を保有しつつ挟むようにして配置されている。図４に示すように、両延長壁５０の後端の位置は、雄端子金具１５の後端部及び両リード片４９の後端の位置にほぼ揃うようにしてある。
【００３７】
外部フード３３の幅方向両側面の張り出し壁４１寄りの部位と両延長壁５０の後端部には、それぞれ前後で対をなすようにして装着突部５１が突出形成されている。両装着突部５１には、図４に示すように、ペグ５２を取付けるための係止溝５３が上端から高さ方向に沿って切り込み形成されている。
【００３８】
ペグ５２は金属製の板材によって形成されており、基板部５２Ａとこの基板部５２Ａの下端縁に略直角に曲げ形成された脚部５２Ｂとから形成されている。基板部５２Ａは長さ方向の両端部が装着突部５１の係止溝５３にそれぞれ圧入されている。基板部５２Ａの下縁であって長さ方向の中央部には下縁からスリット５４が切り込まれている。脚部５２Ｂはこのスリット５４を挟んで前後に分かれて形成されており、プリント基板Ｐに対し半田付けによって固定されている。
【００３９】
以上のように、図４に示すように、ペグ５２の一部は外部フード３３の外面に取り付けられており、すなわち、ペグ５２は前後方向（嵌合方向）に関し雌コネクタとの嵌合に係る範囲に重複するように配されている。換言すれば、雄コネクタＭはプリント基板Ｐに対する取付けの範囲と雌コネクタＦとの嵌合範囲とが前後方向に関して重複する関係となっている。
【００４０】
次に、上記のように構成された本実施例の作用効果を説明する。雌雄コネクタＦ，Ｍが嵌合する際には、雌コネクタＦの端子収容部４が雄コネクタＭの内部フード３１の内側に嵌合し、外筒部６が内部フード３１と外部フード３３との間の嵌合空間３９内に嵌合する。雌雄コネクタＦ，Ｍが嵌合すると、ロックアーム２５のロック孔２８が雄コネクタＭのロック突起３８に係止するため、雌雄コネクタＦ，Ｍは嵌合状態にロックされる。雌雄コネクタＦ，Ｍの嵌合状態では、雌雄の端子金具３，１５同士が接続して電気的な導通がとられる。
【００４１】
ところで、従来の雄コネクタＭであれば、外部フード３３を備えていない。嵌合時には、雌コネクタＦが雄コネクタＭの外面に被さる構成であるため、嵌合状態で雌コネクタＦがプリント基板Ｐと干渉しないよう、雄コネクタＭは雌コネクタＦとの嵌合に係る部分をプリント基板Ｐから食み出させた状態で、つまりプリント基板Ｐの形成領域外に配置せざるを得なかった。したがって、雄コネクタＭの外力を受けるとプリント基板Ｐへの半田付け部分へ悪影響が及ぶことが懸念されるところとなっていた。
これに対し、上記したように、本実施例の雄コネクタＭは外部フード３３を形成してその内側に雌コネクタＦを嵌合させるようにしている。したがって、雄コネクタＭは雌コネクタＦに対する嵌合部分を含めてプリント基板Ｐの形成領域内に配置することができるため、外力による半田付け部分への影響も有効に緩和される。
【００４２】
また、従来であれば、雄コネクタは雌コネクタＦとの嵌合部分の後方に前後方向に関して重複することなく、プリント基板Ｐへの取付け部分が連なる構造となっていたため、雄コネクタＭが前後に長くなってしまう、という問題もあった。
【００４３】
その点、本実施例の雄コネクタＭでは、前述したように、雄コネクタＭはプリント基板Ｐに対する取付けの範囲（ペグ５２が取付けられている範囲）と雌コネクタＦとの嵌合範囲とが前後方向に関して重複する関係となっているため、上記した従来の構成に比べて雄コネクタＭを前後方向に短くすることができる、という効果が得られる。
【００４４】
さらに、雄コネクタＭは、張り出し壁４１をケース１の開口部に形成された取付け溝４２に対しシール状態で嵌め入れることによって取り付けがなされている。ケース１自体は内部が防水空間となっているため、雄コネクタＭを防水環境下に設置することができる。また、張り出し壁４１は雄コネクタＭの嵌合面から僅かに奥に形成されている程度であるため、雄コネクタＭはケース１に対しても僅かな突出量で済む。
【００４５】
さらに、本実施例の雄コネクタＭは端子保持部３２から外部フード３３の下部側が高さ方向に段差を有する形態であるが、このような形態であってもプリント基板Ｐに逃がし部４４を形成して、外部フード３３の下部側を落とし込ませるようにしている。これによって、プリント基板Ｐに対する雄コネクタＭの装着高さを低背化することができる。このことにより、雄コネクタＭがプリント基板Ｐと共にケース１内に収容されたときに、ケース１の内部高さを低くしてケース１の小型化に寄与することができる。
【００４６】
＜他の実施例＞
本発明は上記記述及び図面によって説明した実施例に限定されるものではなく、例えば次のような実施例も本発明の技術的範囲に含まれる。
（１）上記実施例では、基板用防水コネクタ（雄コネクタＭ）をケース１内に設置した場合を示したが、設置個所は限定されるべきものではない。要は、防水が要求される箇所に設置されれば良い。
（２）上記実施例では、雌端子金具３にシールド電線ＳＷを接続したが、本発明はシールド機能を有さないノンシールド電線及び端子金具にも適用可能である。
（３）上記実施例では、雄端子金具１５がプリント基板Ｐの表面に半田付けされる表面実装の形式を示したが、スルーホールを設けて差し込んで半田付けする形式であってもよく、また半田付けに代えてプレスフィットの形式であってもよい。
【符号の説明】
【００４７】
１…ケース（ケース部材）
３…雌端子金具
１５…雄端子金具
３０…雄コネクタハウジング
３１…内部フード
３２…端子保持部
３３…外部フード
３９…嵌合空間
４１…張り出し壁
４４…逃がし部
Ｆ…雌コネクタ
Ｍ…雄コネクタ
Ｐ…プリント基板
【図１】
0006627599.tif 000002
【図２】
0006627599.tif 000003
【図３】
0006627599.tif 000004
【図４】
0006627599.tif 000005
【図５】
0006627599.tif 000006
【図６】
0006627599.tif 000007
【図７】
0006627599.tif 000008